(57)【特許請求の範囲】
【請求項１】
それぞれが長手方向に単位模様が連続して形成される第１と第２の長手状模様地からなり、前記第１の模様地の長手方向右端辺の各単位模様の模様線端の位置と第２の模様地の長手方向左端辺の各単位模様の模様線端の位置とが一致するように、かつ第１の模様地の長手方向左端辺の各単位模様の模様線端の位置と第２の模様地の長手方向右端辺の各単位模様の模様線端の位置とが一致するように模様を形成したことを特徴とする模様地。
【請求項２】
前記第１の模様地の長手方向右端辺と第２の模様地の長手方向左端辺の少なくとも端辺より所定の幅にわたり模様が互いに対称に形成され、かつ前記第１の模様地の長手方向左端辺と第２の模様地の長手方向の右端辺の端辺より内側に少なくとも所定の幅にわたり、模様が互いに対称に形成されたものである請求項１記載の模様地。
【請求項３】
それぞれが長手方向に単位模様が連続して形成される第１と第２の長手状模様地からなり、前記第１との第２の長手状模様地の模様を、一方を表裏を裏返えて他方に重ねると、模様の少なくとも基本柄が互いに一致するように形成したことを特徴とする模様地
【請求項４】
一方の右端辺の模様線端の位置と他方の左端辺の模様線端の位置とが一致するように、かつ一方の左端辺の模様線端の位置と他方の右端辺の模様線端の位置とが一致するように模様を形成した単位模様用の第１と第２のプリント版を用意し、この第１のプリント版を用いて、長手状の生地に長手方向に、前記単位模様を連続的にプリントし、次に第２のプリント版を用いて、長手状の他の生地に長手方向に、前記単位模様を連続的にプリントするようにしたことを特徴とする模様地のプリント方法。
【請求項５】
前記模様地は、着物の反物である請求項４記載の模様地のプリント方法。
【請求項６】
模様が、一方を表裏を裏返えて他方に重ねると、少なくとも基本柄が互いに一致するように形成した単位模様用の第１と第２のプリント版を用意し、この第１のプリント版を用いて、長手状の生地に長手方向に、前記単位模様を連続的にプリントし、次に第２のプリント版を用いて、長手状の他の生地に長手方向に、前記単位模様を連続的にプリントするようにしたことを特徴とする模様地のプリント方法。
【請求項７】
前記模様地は、着物の反物である請求項６記載の模様地のプリント方法。
【発明の詳細な説明】
【０００１】
【発明の属する技術分野】
この発明は、着物等の和服の反物、洋服一般の生地、壁クロス、敷物、装飾紙等のシート状の模様地及び模様地のプリント方法に関する。
【０００２】
【従来の技術】
従来、例えば着物業界では、反物に模様を染めるに、付下げ、振袖、絵羽織、絵羽コート等を絵柄を合わせて縫い上げることを考慮し、伝統的な手法として、図１２に示すように、一反の白生地１にスミ打して、それぞれ左右の袖用の部分２ａ、２ｂ、左右の身頃用の部分３ａ、３ｂ、及び衿、衽用の部分４を割付け、それぞれの部分に、それぞれの染型で染上げるようにしている。
【０００３】
【発明が解決しようとする課題】
上記した従来の方法で染上げられる反物では、染めの元となる図案枚数、染型の枚数が左右袖用、左右身頃用、衿用等と多く必要であるし、染める段階でも左右袖、左右身頃、衽、衿等それぞれ別々に染上げるので、手間がかかる。その上、出来上がった反物を縫上げる際に、模様を左右で合わせるのに完全な連続性を保ったものに仕上げるには、かなりの困難性があった。
【０００４】
この発明は上記問題点に着目してなされたものであって、模様の連続性を上下左右に、容易に展開し得、また、反物の場合には着物への製作が容易で、単価が安い模様地を提供することを目的としている。
【０００５】
【課題を解決するための手段】
この出願の特許請求の範囲の請求項１に係る模様地は、それぞれが長手方向に単位模様が繰り返し形成される第１と第２の長手状模様地からなり、前記第１の模様地の長手方向右端辺の各単位模様の模様線端の位置と第２の模様地の長手方向左端辺の各単位模様の模様線端の位置とが一致するように、かつ第１の模様地の長手方向左端辺の各単位模様の模様線端の位置と第２の模様地の長手方向右端辺の各単位模様の模様線端の位置とが一致するように模様を形成している。なお、ここで模様線とは、模様、絵柄を構成する異なる色領域の境界線や、模様、絵を構成するために描かれた線のことであり、模様線端とは、模様線が模様地の端辺と接する点をいう。
【０００６】
また、請求項３に係る模様地は、それぞれが長手方向に単位模様が連続して形成される第１と第２の長手状模様地からなり、前記第１と第２の長手状模様地の模様を、一方を表裏を裏返えて他方に重ねると、模様の少なくとも基本柄が互いに一致するように形成している。
この請求項１、請求項３に係る模様地では、第１と第２の長手状模様地を左右に交互に並置することにより、第１と第２の長手模様地の模様境界線端が、それぞれ一致するので、単位模様が上下左右に連続する。
【０００７】
また、請求項２に係る模様地は、請求項１に係るものにおいて、前記第１の模様地の長手方向右端辺と第２の模様地の長手方向左端辺の少なくとも端辺より所定の幅にわたり模様が互いに対称に形成され、かつ前記第１の模様地の長手方向左端辺と第２の模様地の長手方向の右端辺の端辺より内側に少なくとも所定の幅にわたり、模様が互いに対称に形成している。
【０００８】
この模様地では、第１と第２の長手形状模様地を隣り合わせに配置し、かつ接合で互いに所定の長さ折り込んで、あるいは長手方向にカットして接合した場合でも模様が対称なので、模様線端が互いに一致し、模様の連続性が確保される。
また、請求項４に係る模様地のプリント方法は、一方の右端辺の模様線端の位置と他方の左端辺の模様線端の位置とが一致するように、かつ一方の左端辺の模様線端の位置と他方の右端辺の模様線端の位置とが一致するように模様を形成した単位模様用の第１と第２のプリント版を用意し、この第１のプリント版を用いて、長手状の生地に長手方向に、前記単位模様を連続的にプリントし、次に第２のプリント版を用いて、長手状の他の生地に長手方向に、前記単位模様を連続的にプリントするようにしている。
【０００９】
また、請求項６に係る模様地のプリント方法は、模様が、一方を表裏を裏返えて他方に重ねると、少なくとも基本柄が互いに一致するように形成した単位模様用の第１と第２のプリント版を用意し、この第１のプリント版を用いて、長手状の生地に長手方向に、前記単位模様を連続的にプリントし、次に第２のプリント版を用いて、長手状の他の生地に長手方向に、前記単位模様を連続的にプリントするようにしている。
【００１０】
【発明の実施の形態】
以下、実施の形態により、この発明をさらに詳細に説明する。
図１は、この発明の一実施形態を示す着物の反物の平面図である。この実施形態着物の反物は、２枚一対の反物１０、２０で構成されている。反物１０は、例えば捺染により、単位模様１１が長手方向に連続して繰り返し形成されている。また、反物２０も、例えば捺染により、単位模様２１が長手方向に連続して繰り返し形成されている。
【００１１】
反物１０と反物２０は、一方の反物を表裏を逆にして模様の裏から眺めた模様と、他の反物の模様が一致する態様になっている。この一方の反物１０と他方の反物２０の単位模様の関係を図２、図３を参照して説明する。
図２の反物１０の単位模様１１で、長手方向の右端辺１２に接する模様線１３、１４の端をａ、ｂとし、右端辺の上端ｃ、下端をｄとし、さらに左端辺１５に接する模様線１６、１７の端をｅ、ｆとし、左端辺の上端をｇ、下端をｈとする。
【００１２】
一方、反物２０の単位模様２１において、長手方向の右端辺２２に接する模様線２３、２４の端をｉ、ｊとし、右端辺の上端をｋ、下端をｌとし、さらに左端辺２５に接する模様線２６、２７の端をｍ、ｎとし、左端辺２５の上端をｏ、下端をｐとする。
反物１０と反物２０は、単位模様１１と２１につき、反物１０の右端辺１２のａ、ｂと反物２０の左端辺２５のｍ、ｎの長手方向の位置が一致し、反物１０の左端辺１５のｅ、ｆと、反物２０の右端辺２２のｉ、ｊの長手方向の位置が一致するようにしている。このような模様を持つ反物１０と反物２０を横方向に並置して接合すると、模様線の端位置が互いに一致するので、横方向にも模様の連続したものとする。そのため、反物１０を例えば着物の右の身頃用、反物２０を左の身頃用とすれば、前身頃も後身頃も切れ目のない連続した模様、絵柄を形成することができる。図４に示すよく知られた着物の反物として、図１に示す反物１０、２０を使用した場合の模様（柄）を図５に示す。ここでは、模様を着物の下部について示し、上部は省略しているが、模様がきれ目なく連続していることがよくわかる。
【００１３】
なお、上記実施形態では、模様が正方形の図形がランダムに重ね合わさって連続するものを例に上げたが、この発明では、反物１０の右端辺と反物２０の左端辺、反物１０の左端辺と反物２０の右端辺の模様線端の位置が一致すれば、内部の模様はいかなるものであってもよい。この例については、後述する。
また、上記実施形態では、反物１０の右端辺１２と反物２０の左端辺２５、又は反物１０の左端辺１５と反物２０の右端辺２２を接合した場合、この接合端辺は中心線に対し、模様線１３、１４と模様線２６、２７、模様線１６、１７と模様境界線２３、２４が対称の関係にある。そのため、反物１０、２０を用いて着物を作る場合に、例えば反物１０の右端辺１２と反物２０の左端辺２５をそれぞれ図２、図３の破線で示す位置で（それぞれ端辺より、例えば４ｃｍ）内側に折り込んで縫合わせても模様線１３、１４、模様線２６、２７は一致するので、連続模様を得ることができる。模様線は接合線を中心に対称なので、所定範囲で折り込みの量に関係なく、連続した模様を得ることができる。
【００１４】
図６、図７は、この発明が実施された他の反物の模様例を示す図である。この場合には、反物１０の右端辺１２と反物２０の左端辺２５、反物１０の左端辺１５と反物２０の右端辺２２の模様線位置が、それぞれ一致する。また、それぞれの模様線１３、１４、１６、１７と模様線２３、２４、２６、２７は、いずれも各端辺より内側に所定距離は少なくとも垂直に形成されているので、やはり破線で示すように端辺より内側よりＬｃｍで内側に折曲げて縫合わせても横線の連続性は妨げられない。図８に、図６、図７に示すものをＬｃｍだけ折曲げて縫合わせた場合を示している。
【００１５】
図９は、この発明が実施された、さらに他の反物例を示す図である。ここでも一対の反物１０、２０からなり、図は単位模様１１、２１のみを示している。この場合にも、反物１０の右端辺１２と反物２０の左端辺２５、反物１０の左端辺１５と反物２０の右端辺２２の模様線位置が、それぞれ一致する。しかし反物２０を裏返して反物１０に重ねても両者の模様は重ならない。この場合でも、反物１０と反物２０を交互に並置すれば、模様は左右に連続する。
【００１６】
図１０は、この発明が実施された、さらに他の反物例を示す図である。この場合は、反物１０、２０の両端辺には、いずれも模様線端が生じていない。しかし模様３１、４１が端辺に迫り、例えば図の幅Ｌだけ折込んで縫い合わせれば、やはり連続模様となる。
次に、この発明のプリント方法を着物の反物を染める場合に適用する場合につき、図１１を参照して説明する。染前の白生地４２が収容された収容部４１よりテンションローラ５５を経て、表面にスポンジ等の弾性体が形成された回転体４３と、これに圧接される版胴４４間に導かれる。版胴４４には、上記した単位模様分の模様形が取り付けられており、この版胴４４の回転により、インクローラ４５が回転し、インク槽４６のインクを版胴４４に付ける。余分についたインクは突片４７のハケ作用により除去され、版胴４４の凹部にのみインクが残るので、版胴４４と回転体４３の圧接により、版胴４４の模様にしたがい生地５１に染色される。染め上げられた生地５１は、第１の乾燥部４８で加温乾燥し、さらに第２の乾燥部４９を経て、染色終了後の収容器５０に収容される。以上のようにして、上記第１の反物１０が染色されると、版胴の染形を替えて、上記と同様にして第２の反物２０が染められる。
【００１７】
なお、上記実施形態は着物を例に上げたが、この発明はこれに限ることなく、ゆかた地、洋服一般の生地、装飾紙、壁紙、敷物等の他のあらゆる模様地に適用できるこというまでもない。
【００１８】
【発明の効果】
この発明によれば、一対の模様地さえあれば、これを交互に連続させることによりどのような広さでも連続模様を形成することができる。
また、この発明を着物の反物に適用した場合、２種の反物さえ作成すればよく、身頃、袖、衿等毎に元図、染型紙等を作成する必要なく、それ毎に染める必要がないので、作業性が向上する。また、着物等を作成するのに、模様、絵柄合わせが容易であり、連続模様の等しい着物をだれもが作成できる。
【図面の簡単な説明】
【図１】この発明の一実施形態を示す着物の反物を示す平面図である。
【図２】上記実施形態の一方の反物の単位模様を説明する図である。
【図３】上記実施形態の他方の反物の単位模様を説明する図である。
【図４】一般的な着物を背面よりみた説明図である。
【図５】図４に示す着物の反物として、図１に示した反物を使用した場合の着物を示す図である。
【図６】上記実施形態の一方の反物の単位模様の他の例を説明する図である。
【図７】同一方の反物の単位模様に対応する他方の反物の単位模様を示す図である。
【図８】図６、図７に示した反物を縫合した場合を示す図である。
【図９】上記実施形態における単位模様のさらに他の例を示す図である。
【図１０】上記実施形態における単位模様のさらに他の例を示す図である。
【図１１】この発明のプリント方法を着物の染に用いた場合を説明するための図である。
【図１２】従来の着物の反物を説明する図である。
【符号の説明】
１０、２０      反物
１１、２１      単位模様
【図１】
0003734873.tif 000002
【図２】
0003734873.tif 000003
【図３】
0003734873.tif 000004
【図４】
0003734873.tif 000005
【図５】
0003734873.tif 000006
【図６】
0003734873.tif 000007
【図７】
0003734873.tif 000008
【図８】
0003734873.tif 000009
【図９】
0003734873.tif 000010
【図１０】
0003734873.tif 000011
【図１１】
0003734873.tif 000012
【図１２】
0003734873.tif 000013